(57)【特許請求の範囲】
【請求項１】
液体を貯留する液体貯留部及びこの液体貯留部内に圧力を付与する加圧部をハウジング内にそれぞれ設けるとともに、前記液体が流通する液体流路を前記液体貯留部内に設け、この液体流路の下流側の液体流出口に、前記加圧部によって加圧された液体が流通する液体流通路を開閉する開閉弁を設けた美容器具であって、
前記液体流通路は、前記液体貯留部内の液体流路よりも通路面積を小さくして複数設けたことを特徴とする美容器具。
【請求項２】
液体を貯留する液体貯留部及びこの液体貯留部内に圧力を付与する加圧部をハウジング内にそれぞれ設けるとともに、前記液体が流通する液体流路を前記液体貯留部内に設け、この液体流路の下流側の液体流出口に、前記加圧部によって加圧された液体が流通する液体流通路を開閉する開閉弁を設けた美容器具であって、
前記開閉弁は、先端に液体の吐出口を備える先細のテーパ孔内に移動可能に収容される円錐形状の弁体からなり、前記テーパ孔の側面に前記液体流路の下流側端部を接続し、前記弁体を移動させることで前記テーパ孔と前記液体流路との連通遮断を行う弁開閉機構を設けたことを特徴とする美容器具。
【請求項３】
液体を貯留する液体貯留部及びこの液体貯留部内に圧力を付与する加圧部をハウジング内にそれぞれ設けるとともに、前記液体が流通する液体流路を前記液体貯留部内に設け、この液体流路の下流側の液体流出口に、前記加圧部によって加圧された液体が流通する液体流通路を開閉する開閉弁を設けた美容器具であって、
前記液体流路に、前記液体貯留部内に形成される空気領域に一端が開口する空気流路の他端を連通接続し、前記加圧部の加圧時に前記空気流路から前記液体流路に空気を送り込むことを特徴とする美容器具。
【請求項４】
前記開閉弁は、前記加圧部によって加圧された液体により開放することを特徴とする請求項１または３に記載の美容器具。
【請求項５】
前記開閉弁は、前記液体流路の下流側の液体流出口での液体の圧力を受ける受圧部と、この受圧部が液体の圧力を受けて前方に移動することで開放する前記液体流通路とを有し、この開閉弁の前方に該開閉弁を閉じる側に押し付ける弾性体を設けたことを特徴とする請求項４に記載の美容器具。
【請求項６】
前記複数の液体流通路の液体流出方向前方における液体流通路の中心線の延長線が互いに交差していることを特徴とする請求項１に記載の美容器具。
【請求項７】
前記弁開閉機構は、前記弁体を前記テーパ孔から引き抜く方向に押し付けて前記テーパ孔と前記液体流路とを連通させる弾性体と、この弾性体の押し付け力に抗して前記弁体を前記テーパ孔に挿入する方向に移動させて前記テーパ孔と前記液体流路とを遮断させる操作部とを備えていることを特徴とする請求項２に記載の美容器具。
【発明の詳細な説明】
【技術分野】
【０００１】
本発明は、液体を髪に吹き付けて髪のケア（お手入れ）を行う美容器具に関する。
【背景技術】
【０００２】
従来、美容器具として例えばヘアドライヤにおいては、乾いた熱風ばかりでなく、適宜液体を髪に吹き付けて整髪ができるようにしたものが知られている（下記特許文献１参照）。
【０００３】
このヘアドライヤは、液体を吹き付けて使用する際に、外部に設けた押ボタンを押すことで、内蔵しているポンプによって、熱風吹出口近傍に設けてあるスプレーノズルから液体が噴射される。
【０００４】
【特許文献１】実公昭５１−３２６３１号公報
【発明の開示】
【発明が解決しようとする課題】
【０００５】
ところが、上記した従来のヘアドライヤは、手動によって押ボタンを押す毎に液体を噴射する構成であることから、液体が一気に多量に噴射される恐れがあり、髪がべたつくなどの課題がある。
【０００６】
そこで本発明は、液体を適量髪に吹き付けて整髪できるようにすることを目的としている。
【課題を解決するための手段】
【０００７】
請求項１の発明は、液体を貯留する液体貯留部及びこの液体貯留部内に圧力を付与する加圧部をハウジング内にそれぞれ設けるとともに、前記液体が流通する液体流路を前記液体貯留部内に設け、この液体流路の下流側の液体流出口に、前記加圧部によって加圧された液体が流通する液体流通路を開閉する開閉弁を設けた美容器具であって、前記液体流通路は、前記液体貯留部内の液体流路よりも通路面積を小さくして複数設けたことを特徴とする。
請求項２の発明は、液体を貯留する液体貯留部及びこの液体貯留部内に圧力を付与する加圧部をハウジング内にそれぞれ設けるとともに、前記液体が流通する液体流路を前記液体貯留部内に設け、この液体流路の下流側の液体流出口に、前記加圧部によって加圧された液体が流通する液体流通路を開閉する開閉弁を設けた美容器具であって、前記開閉弁は、先端に液体の吐出口を備える先細のテーパ孔内に移動可能に収容される円錐形状の弁体からなり、前記テーパ孔の側面に前記液体流路の下流側端部を接続し、前記弁体を移動させることで前記テーパ孔と前記液体流路との連通遮断を行う弁開閉機構を設けたことを特徴とする。
請求項３の発明は、液体を貯留する液体貯留部及びこの液体貯留部内に圧力を付与する加圧部をハウジング内にそれぞれ設けるとともに、前記液体が流通する液体流路を前記液体貯留部内に設け、この液体流路の下流側の液体流出口に、前記加圧部によって加圧された液体が流通する液体流通路を開閉する開閉弁を設けた美容器具であって、前記液体流路に、前記液体貯留部内に形成される空気領域に一端が開口する空気流路の他端を連通接続し、前記加圧部の加圧時に前記空気流路から前記液体流路に空気を送り込むことを特徴とする。
【０００８】
請求項４の発明は、請求項１または３に記載の美容器具であって、前記開閉弁は、前記加圧部によって加圧された液体により開放することを特徴とする。
【０００９】
請求項５の発明は、請求項４に記載の美容器具であって、前記開閉弁は、前記液体流路の下流側の液体流出口での液体の圧力を受ける受圧部と、この受圧部が液体の圧力を受けて前方に移動することで開放する前記液体流通路とを有し、この開閉弁の前方に該開閉弁を閉じる側に押し付ける弾性体を設けたことを特徴とする。
【００１１】
請求項６の発明は、請求項１に記載の美容器具であって、前記複数の液体流通路の液体流出方向前方における液体流通路の中心線の延長線が互いに交差していることを特徴とする。
【００１３】
請求項７の発明は、請求項２に記載の美容器具であって、前記弁開閉機構は、前記弁体を前記テーパ孔から引き抜く方向に押し付けて前記テーパ孔と前記液体流路とを連通させる弾性体と、この弾性体の押し付け力に抗して前記弁体を前記テーパ孔に挿入する方向に移動させて前記テーパ孔と前記液体流路とを遮断させる操作部とを備えていることを特徴とする。
【発明の効果】
【００１５】
請求項１の発明によれば、加圧された状態の液体を、開放している開閉弁の流体流通路から吐出する構造としているので、押ボタンを押すことで内蔵ポンプによって液体を一気に吐出させる従来構造に比較して、液体の吐出量を抑えることができ、液体を適量髪に吹き付けて整髪することができる。また、複数の液体流路から吐出する液体を微細化することができる。
請求項２または７の発明によれば、弁閉塞機構を操作することで、必要時に液体の吐出停止動作を行うことができる。
請求項３の発明によれば、液体流路を流れる液体に空気が混入するので、流体流通路から流出する液体をより微細化して噴霧化することができる。
【００１６】
請求項４の発明によれば、加圧された液体によって開閉弁を開放するようにしているので、弁構造としては簡素化したものとすることができる。
【００１７】
請求項５の発明によれば、弾性体によって開閉弁を閉じることで、液体の漏れを抑えることができる。
【００１９】
請求項６の発明によれば、複数の液体流路から吐出する液体が互いに干渉しあうことで、液体をさらに微細化することができる。
【発明を実施するための最良の形態】
【００２２】
以下、本発明の実施の形態を図面に基づき説明する。
【００２３】
図１は、本発明の第１の実施形態を示す美容器具であるヘアドライヤの一部を省略した側面断面図、図２は、図１のＡ矢視図である。このヘアドライヤは、中空筒状のハウジングとしての風洞１を備えるとともに、風洞１の長手方向一方の端部外周に把持部３を備えている。
【００２４】
風洞１内の前記した把持部３を備えた側には送風手段である送風ファン５を備え、送風ファン５の回転駆動により、風洞１の一方の端部に設けた吸入口７から風洞１内に空気を吸い込み、他方の端部に設けた吐出口９から風洞１外に空気を吐出して送風する。送風ファン５は、モータ１１及び、モータ１１によって回転する羽車１３をそれぞれ備え、これらがファンシュラウド１５を介して風洞１の内壁に取り付けられている。
【００２５】
風洞１内の吐出口９の中心位置には、液体貯留部としてのタンク１７を設置し、このタンク１７内に液体である水Ｗを貯留している。タンク１７は、風洞１の前端部と前面がほぼ同一面となっている円板状の端板１９と、端板１９の送風ファン５側に、端板１９側が開口している円筒カップ状のケース２１とを備え、端板１９の外周部に複数の支持具２３を介して風洞１の内壁に取り付けられている。
【００２６】
図３は、上記図１におけるタンク１７を拡大した断面図である。端板１９の中心位置の内面には、液体配管２５の一端を接続し、これら端板１９と液体配管２５とを一体的に構成している。液体配管２５は、端板１９に対し直角方向に延びる下流部２７と、下流部２７の端板１９と反対側の端部から図３中で下方に延びる上流部２９とを備え、これら下流部２７及び上流部２９内に液体流路３１を形成している。
【００２７】
また、下流部２７の図３中で上部には、空気導入管３３を接続し、空気導入管３３内に形成される空気流路３５の一端３５ａを液体流路３１に連通接続する一方、他端３５ｂをタンク１７内の水Ｗの上方に形成される空気領域３７内に開口させる。
【００２８】
上記した液体配管２５の上流部２９の先端、すなわち液体流路３１の水Ｗ内の開口３１ａは、タンク１７の図３中で下部近傍に位置し、水Ｗの吸込口を構成している。一方、液体流路３１の下流側端部の開口３１ｂは、端板１９の中心部に液体配管２５と反対側の外部から凹となるよう形成してある空隙１９ａに開口して水Ｗの流出口を構成している。
【００２９】
上記した空隙１９ａには、開閉弁３９と、その前方に位置する弾性体としてのＯリング４１とを収容配置している。図４は開閉弁３９の単体図で、（ａ）は液体流路３１と反対側の水の吐出方向前方から見た正面図、（ｂ）は（ａ）のＢ−Ｂ断面図である。
【００３０】
上記図４に示すように、開閉弁３９は円柱形状を呈し、その軸方向に貫通する液体流通路４３を、水の吐出方向前方から見て円周方向に沿って複数（ここでは４個）等間隔に設けている。このような複数の液体流通路４３は、タンク１７内の液体流路３１よりも通路面積を小さくしている。
【００３１】
また、この複数の液体流通路４３は、水の流入口４３ａが、水の流出口４３ｂよりも開閉弁３９の中心に対して遠い外周側に位置するように、一方の流入側端面３９ａと他方の流出側端面３９ｂとの間で傾斜している。この傾斜によって、前記複数の液体流通路４３の液体流出方向前方における液体流通路４３の中心線の延長線が互いに交差していることになる。
【００３２】
そして、上記した開閉弁３９に対して流出口４３ｂ側に配置してあるＯリング４１は、流出口４３ｂよりも外側における外周側の近傍の流出側端面３９ｂに当接している。また、開閉弁３９の流入側端面３９ａは、空隙１９ａの底部１９ｂに閉弁時に当接している
また、上記した空隙１９ａを覆うようにして端板１９の外側の面には、液体吐出通路４４ａを備えるＯリング押さえ４４を取り付けている。液体吐出通路４４ａは、空隙１９ａの中心位置にあって前記した開閉弁３９の液体流通路４３の通路面積より大きい通路面積を備えている。
【００３３】
図３の閉弁状態の開閉弁３９は、液体流路３１内の水Ｗの圧力によりＯリング４１を押圧して弾性変形させ、後述する図５に示すように、空隙１９ａの底部１９ｂから離反して開弁状態となる。
【００３４】
また、端板１９の上記した開閉弁３９を取り付けた部位よりも図３中で上部には、液体注入口４５を貫通させて設けてあり、この液体注入口４５には、Ｏリング４７を介して蓋４９を着脱可能に取り付けている。
【００３５】
一方、図１に示すように、風洞１の吐出口９近傍の上部内面には、加圧部としてのポンプ５１を取り付けてあり、このポンプ５１と前記したタンク１７とを、空気供給管５３によって互いに連通接続している。空気供給管５３は、内部に形成してある空気供給通路５５の流出口５５ａが、前記した端板１９の近傍に位置し、かつ空気流路３５の他端３５ｂに一部が対向している。
【００３６】
このように構成したヘアドライヤは、把持部３を手に持ち図示しない電源スイッチを操作することで、送風ファン５が回転駆動して送風空気を吐出口９から吐出させ人の髪に当てて使用する。
【００３７】
このとき、上記のスイッチ操作と同時に、または別のスイッチ操作によってポンプ５１が作動し、空気供給通路５５からタンク１７内に空気を送ってタンク１７内を加圧する。
【００３８】
タンク１７内を加圧することで、この加圧力がタンク１７内の水Ｗに付与され液体流路３１を経て開閉弁３９の流入側端面３９ａの中心部に作用する。すなわち、開閉弁３９の流入側端面３９ａは、液体流路３１の下流側の液体流出口での液体である水Ｗの圧力を受ける受圧部を備えている。
【００３９】
そして、この受圧部が水Ｗの規定以上の圧力を受けると、開閉弁３９がＯリング４１を押圧して弾性圧縮変形させ、図５に示すように開弁状態となる。すなわち、本実施形態では、液体流路３１の下流側の液体流出口に、加圧部５３によって加圧された液体である水Ｗが流通する液体流通路４３を開閉する開閉弁３９を設けたことになる。
【００４０】
図５の開弁状態では、開閉弁３９の流入側端面３９ａが空隙１９ａの底部１９ｂから離反するので、液体流通路４３の流入口４３ａが空隙１９ａに開口し、したがって液体流路３１内の水Ｗが、空隙１９ａから開閉弁３９の液体流通路４３を通過して再度空隙１９ａに流出した後、液体吐出通路４４ａから外部に水が吐出される。
【００４１】
この際本実施形態では、加圧された状態の水Ｗを、開放している開閉弁３９の流体流通路４３から吐出する構造であり、しかも液体流路３１内の水Ｗが、通路断面積の小さい複数の液体流通路４３を通ることになるので吐出側で微細化され、さらにこの複数の液体流通路４３から流出する水相互が干渉することでさらに微細化され、水Ｗの吐出量を抑えることができて水Ｗを適量髪に吹き付けて整髪することができる。
【００４２】
このとき、タンク１７内の空気領域３７の空気が、前記した加圧作用によって空気流路３５から液体流路３１に流出して水Ｗ中に混入するので、上記吐出される水Ｗは、より微細化して噴霧状となる。
【００４３】
したがって、本実施形態では、上記したような微細化した霧を髪に噴射することで、従来のように多量の水が一気に噴射されて髪がべたつくなどの不具合を招くことなく整髪することが可能となる。
【００４４】
また、加圧部５３によって水Ｗが加圧された状態で、この加圧力を受ける開閉弁３９がＯリング４１を押圧しつつ開放するので、簡素化した構造で開閉弁３９の開閉動作を行うことができる。また、閉弁時には、Ｏリング４１の押圧作用によって開閉弁３９を空隙１９ａの底部１９ｂに押し付け、流入口４３ａを閉止するので、開閉弁３９から水漏れを抑えることができる。
【００４５】
なお、本ヘアドライヤの使用形態によっては、空気流路３５の空気導入口である他端３５ｂが水Ｗ内に水没する場合も考えられるが、空気流路３５の空気導入口が水Ｗ内に水没して液体流路３１に空気を導入できない場合であっても、水Ｗへの加圧力で吐出する水Ｗの微細化は可能である。
【００４６】
図６は、本発明の第２の実施形態を示す、前記図１に対応する断面図である。以下、第１の実施形態と異なる点を説明する。第２の実施形態は、タンク１７を風洞１内の外周側に配置するとともに、加圧ポンプ５１をタンク１７の後方に配置し、タンク１７の端板１９をケース２１よりも図６中で下方に突出させて風洞１の中心部にまで延長して延長部５９を形成している。
【００４７】
図７は、上記した延長部５９付近を拡大した断面図である。この延長部５９には、先細のテーパ孔５９ａを設け、その先端を水Ｗの吐出口５９ｂとしている。テーパ孔５９ａには、該テーパ孔５９ａと同形状の開閉弁となる弁体６１を移動可能に収容し、弁体６１の後端には軸６３を連結している。
【００４８】
また、テーパ孔５９ａには、端板１９内に形成してある液体流路６４の下流側端部を連通させ、液体流路６４の上流側端部はタンク１７内の液体流路３１に連通接続する。
【００４９】
そして、上記した軸６３には弁閉塞機構７０を設けている。すなわち、軸６３の後端付近にはフランジ６５を設け、フランジ６５と、軸６３が貫通孔６７ａに移動可能に挿入された状態で弁体６１側に配置してあるスプリング受け６７との間に弾性体としてのコイルスプリング６９を介装している。
【００５０】
また、フランジ６５と、軸６３のさらに後端側にて相対移動可能で、かつ風洞１側に図示しない連結具によって固定してある押さえ板７１との間に作動アーム７３を配置する。作動アーム７３は、中心部に軸６３との間に隙間を形成するように軸６３の直径より大きな内径を有する貫通孔７３ａを備え、この貫通孔７３ａに軸６３を移動可能に挿入している。
【００５１】
上記した作動アーム７３の端部には回動支持ピン７５を介して連結アーム７７の一端を回動可能に連結し、連結アーム７７の他端は、図６に示すように、回動支持ピン７９を介して操作アーム８１の一端を回動可能に連結する。
【００５２】
操作アーム８１は、風洞１に設けてある開口１ａに移動可能に挿入し、この開口１ａ内にて支持ピン８５によって中心部が回転可能に風洞１に支持され、他端を風洞１の外部に突出させてこの突出部を操作部８１ａとしている。
【００５３】
したがって、本実施形態では、図７（ａ）に示すようにコイルスプリング６９によってフランジ６５を押圧して作動アーム７３を押さえ板７１との間に挟持した状態では、弁体６１は、その後端がスプリング受け６７に当接してテーパ孔５９ａの内面との間に液体流通路としての隙間８５が形成され、この隙間８５に液体流路６４が連通した状態となる。
【００５４】
一方、図７（ａ）の状態から、操作部８１ａを図６中で矢印Ｃ方向に押し付けて操作アーム８１を図６中で時計回り方向に回転させると、連結アーム７７が後退移動するに伴って作動アーム７３が、図７（ｂ）のように、押さえ板７１に連結アーム７７側の一方の面が支持された状態で、他方の面にてフランジ６５を端板１９の延長部５９側に押圧して軸６３をテーパ孔５９ａに向けて移動させる。
【００５５】
この軸６３の移動によって軸６３と一体の弁体６１はテーパ孔５９ａの内面に密着し、液体流路６４とテーパ孔５９ａとが遮断される。この遮断状態から操作部８１ａに対する押し付け状態を解除すると、コイルスプリング６９の弾性力によって弁体６１を後退させて図７（ａ）の開弁状態に戻る。
【００５６】
なお、弁体６１は、常時は開弁状態となるが、弁体６１の外周側の隙間５９ａが極めて狭いので、ポンプ５１が作動していなければ、吐出口５９ｂからの水漏れの心配はない。
【００５７】
本実施形態では、図７（ａ）のように、常時は弁体６１が開弁状態であり、この状態で、第１の実施形態と同様にして電源スイッチを操作して送風ファン５を作動させるとともにポンプ５１を作動させることで、タンク１７内が加圧され、内部の水Ｗが液体流路３１，６４を通してテーパ孔５９ａの隙間８５に流出し、吐出口５９ｂから吐出される。
【００５８】
この際本実施形態では、加圧された状態の水Ｗを、開放している弁体６１の流体流通路である隙間８５から吐出する構造であり、しかも液体流路３１，６４内の水Ｗが、弁体６１の外周の狭い環状の隙間８５から外部に吐出されるので微細化され、したがって水Ｗを適量髪に吹き付けて整髪することができるという、第１の実施形態と同様の効果を得ることができる。
【００５９】
また、本実施形態においても、タンク１７内の空気領域３７の空気が、前記した加圧作用によって空気流路３５から液体流路３１に流出して水Ｗ中に混入するので、上記吐出される水Ｗは、より微細化して噴霧状となる。
【００６０】
このように第２の実施形態においては、ヘアドライヤを使用して水を噴射している状態から、必要時において適宜操作部８１ａを操作することで、水の噴射を停止することができ、使い勝手が向上する。
【００６１】
なお、上記した第２の実施形態では、水の噴射を行う際に、操作部８１ａを手動で操作しているが、モータなどを利用して電動により弁体６１を閉じるようにしてもよい。
【００６２】
また、上記とは逆に、常時は弁体６１が閉じ、操作部の操作によって弁体６１が開くような機構も採用できる。この場合には、コイルスプリングにより弁体６１をテーパ孔５９ａ内に押し込むようにしておき、この状態から操作部の操作によって弁体６１をコイルスプリングの弾性力に抗して開弁方向に移動させることになる。
【００６３】
したがって、この場合には、常時はテーパ孔５９ａが閉じているので、ヘアドライヤを使用しないときでの吐出口５９ｂからの水漏れを確実に防ぐことが可能となる。
【００６４】
図８は、本発明の第３の実施形態を示す、美容器具であるヘアアイロンの斜視図、図９は同側面図、図１０は、図９のＤ−Ｄ断面図である。この実施形態は、上記したヘアアイロンに、図１に示してあるタンク１７と同等のタンク１７Ａや、図１に示してあるポンプ５１と同等のポンプ５１Ａなど、水Ｗを微細化して噴射するための構成を適用している。なお、第３の実施形態では、前記図１に示した第１の実施形態と同様の構成要素には、同一の番号の後に、アルファベットの大文字Ａを付して説明することとする。
【００６５】
すなわち、このヘアアイロンは、ハウジングとしてのヘアアイロン本体８７の基端部と挟持板８９の基端部とが回動支持部９１にて回動可能であって先端側が開閉可能であり、その先端側の互いに対向する面に加熱板９３と加熱板９５とをそれぞれ設けている。そして、この加熱した状態の各加熱板９３，９５相互間に髪を挟むことで髪のケア（お手入れ）を行う。
【００６６】
このようなヘアアイロンには、図１０に示すように、その長手方向ほぼ中央位置の幅方向（図１０中で上下方向）両側に、側方に突出する一対の膨出部９７を設け、この各膨出部９７内に前記したタンク１７Ａをそれぞれ収容配置している。
【００６７】
タンク１７Ａは、端板１９Ａを膨出部９７に設けた開口９７ａに露出させた状態で取り付けている。この開口９７ａは、加熱板９３を設けてある前方側（図９中で左側）に向けて開口している。
【００６８】
そして、タンク１７Ａ内には、第１の実施形態と同様にして、液体流路３１Ａを有する液体配管２５Ａ及び、液体流路３１Ａに連通接続する空気流路３５Ａを有する空気導入管３３Ａを、それぞれ収容配置している。また端板１９Ａには、空隙１９ａＡ内に弁体３９Ａ及びＯリング４１Ａを設けるとともに、その前方にはＯリング押さえ４４Ａを設けている。
【００６９】
また、前記したポンプ５１Ａは、タンク１７Ａと回動支持部９１との間のヘアアイロン本体８７内に設けており、このポンプ５１Ａとタンク１７Ａとを、内部に空気供給通路５５Ａを備える空気供給管５３Ａによって互いに連通接続している。
【００７０】
さらに、一対のタンク１７Ａの互いに対向する側の側部には、水Ｗをタンク１７Ａ内に注入するための注入管９９の一端を接続し、注入管９９の他端は、ヘアアイロン本体５９内に形成してある注入空間１０１に接続している。そして、この注入空間１０１には、図示しないＯリングを介して蓋４９Ａを着脱可能に取り付けている。
【００７１】
ここで、上記した注入管９９及び注入空間１０１は、ヘアアイロン本体８７内に収納配置しており、蓋４９Ａの頭部は挟持板８９に対向する側に露出しており、該頭部を掴んで蓋４９Ａを取り外すことができる。
【００７２】
このような構成のヘアアイロンにおいては、ヘアアイロン本体８７の側部に設けてある電源スイッチ１０３を操作することで、加熱板９３，９５が加熱され、該加熱された加熱板９３，９５相互で髪を挟持して使用する。
【００７３】
このとき、上記のスイッチ操作と同時に、または別のスイッチ操作によって、第１の実施形態と同様に、ポンプ５１Ａが作動し、タンク１７Ａの水Ｗが加圧されて開閉弁３９Ａが開弁することで、微細化された水Ｗが液体吐出通路４４ａＡから吐出されるので、多量の液体が一気に噴射されて髪がべたつくなどの不具合を招くことなく整髪することが可能となる。
【００７４】
図１１は、本発明の第４の実施形態を示す、美容器具であるヘアブラシの正面図、図１２は、図１１のＥ−Ｅ断面図である。この実施形態は、上記したヘアブラシに、図１に示してあるタンク１７と同等のタンク１７Ｂや、図１に示してあるポンプ５１と同等のポンプ５１Ｂなど、水を微細化して噴射するための構成を適用している。なお、第４の実施形態では、前記図１に示した第１の実施形態と同様の構成要素には、同一の番号の後に、アルファベットの大文字Ｂを付して説明することとする。
【００７５】
すなわち、このヘアブラシは、ハウジングとしてのヘアブラシ本体１０５の先端側の外部表面１０５ａに多数のブリッスル１０７を設けてブラシを構成しており、このブリッスル１０７を設けた外部表面１０５ａの内側に前記したタンク１７Ｂを収容固定している。
【００７６】
そして、タンク１７Ｂ内には、第１の実施形態と同様にして、液体流路３１Ｂを有する液体配管２５Ｂ及び、液体配管２５Ｂに連通接続する空気流路３５Ｂを有する空気導入管３３Ｂを、それぞれ収容配置しており、その端板１９Ｂを外部表面１０５ａの内側に固定し、外部表面１０５ａに設けた貫通孔１０５ｂにＯリング押さえ４４Ｂを挿入配置している。なお、貫通孔１０５ｂは、多数のブリッスル１０７を設けた領域のほぼ中心に設けてある。
【００７７】
また、前記したポンプ５１Ｂは、ヘアブラシ本体１０５の把持部１０５ｃ内に一部が位置するようヘアブラシ本体１０５内に設けてあり、このポンプ５１Ｂとタンク１７Ｂとを、内部に空気供給通路５５Ｂを備える空気供給管５３Ｂによって互いに連通接続している。空気供給通路５５Ｂのタンク１７Ｂ側の端部には、タンク１７Ｂからポンプ５１Ｂへの水の逆流を阻止する逆止弁１０９を設けている。
【００７８】
さらに、タンク１７Ｂのポンプ５１Ｂと反対側の図１２中で上部には、水Ｗをタンク１７Ｂ内に注入するための注入管１１１の一端を接続し、注入管１１１の他端はヘアブラシ本体１０５の先端部に設けて開口１０５ｄに連通させ、この開口１０５ｄに、図示しないＯリングを介して蓋４９Ｂを着脱可能に取り付けている。
【００７９】
このような構成のヘアブラシにおいては、髪をブラッシングして髪のケア（お手入れ）を行う際に、ヘアブラシ本体１０５に設けてある電源スイッチ１１３を操作すると、電源ランプ１１５が点灯するとともに、第１の実施形態と同様に、ポンプ５１Ｂが作動し、タンク１７Ｂの水Ｗが加圧されて開閉弁３９Ｂが開弁することで、微細化された水Ｗが液体吐出通路４４ａＢから吐出されるので、多量の液体が一気に噴射されて髪がべたつくなどの不具合を招くことなく整髪することが可能となる。
【００８０】
なお、前記した図８〜図１０に示したヘアアイロン及び図１１，図１２に示したヘアブラシにおいても、前記図６，図７に示した第２の実施形態の弁体６１を使用した構造を採用することができる。
【図面の簡単な説明】
【００８１】
【図１】本発明の第１の実施形態を示す美容器具であるヘアドライヤの一部を省略した側面断面図である。
【図２】図１のＡ矢視図である。
【図３】図１におけるタンクを拡大した断面図である。
【図４】（ａ）は図３の弁体を拡大した正面図、（ｂ）は（ａ）のＢ−Ｂ断面図である。
【図５】図３に対し弁体が開放した状態を示す断面図である。
【図６】本発明の第２の実施形態を示す、図１に対応する断面図である。
【図７】図６の要部を拡大した断面図で、（ａ）は開弁状態、（ｂ）は閉弁状態をそれぞれ示す。
【図８】本発明の第３実施形態を示す、美容器具であるヘアアイロンの正面図である。
【図９】図８のヘアアイロンの側面図である。
【図１０】図９のＤ−Ｄ断面図である。
【図１１】本発明の第４の実施形態を示す、美容器具であるヘアブラシの正面図である。
【図１２】図１１のＥ−Ｅ断面図である。
【符号の説明】
【００８２】
Ｗ  水（液体）
１  風洞（ハウジング）
１７，１７Ａ，１７Ｂ  タンク（液体貯留部）
３１，３１Ａ，３１Ｂ，６４  液体流路
３５，３５Ａ，３５Ｂ  空気流路
３７，３７Ａ，３７Ｂ  タンク内の空気領域
３９，３９Ａ，３９Ｂ  開閉弁
３９ａ，３９ａＡ，３９ａＢ  開閉弁の流入側端面（受圧部）
４１，４１Ａ，４１Ｂ  Ｏリング（弾性体）
４３，４３Ａ，４３Ｂ    液体流通路
４４ａ，４４ａＡ，４４ａＢ    液体吐出通路
５１，５１Ａ，５１Ｂ  ポンプ（加圧部）
５９ａ  テーパ孔
５９ｂ  テーパ孔の吐出口
６１  弁体（開閉弁）
６９  コイルスプリング（弾性体）
７０  弁開閉機構
８１ａ  操作部
８７  ヘアアイロン本体（ハウジング）
１０５  ヘアブラシ本体（ハウジング）
【図１】
0005046897.tif 000002
【図２】
0005046897.tif 000003
【図３】
0005046897.tif 000004
【図４】
0005046897.tif 000005
【図５】
0005046897.tif 000006
【図６】
0005046897.tif 000007
【図７】
0005046897.tif 000008
【図８】
0005046897.tif 000009
【図９】
0005046897.tif 000010
【図１０】
0005046897.tif 000011
【図１１】
0005046897.tif 000012
【図１２】
0005046897.tif 000013